(57)【要約】本発明は、パワーショベルのアーム（４）の先端に固定するための工具に関し、アーム上の前記工具の回動軸に対して母線が平行に延在する直円柱面の一部によって構成される湾曲刃（１）でなることを特徴としている。
2005533950.tif 000002
【特許請求の範囲】
【請求項１】
油圧パワーショベルのアーム（４）の先端に取り付けられる工具において、前記工具は湾曲刃（１）で構成されることを特徴とする油圧パワーショベル用掘削工具。
【請求項２】
前記刃は、アームに取り付けられる前記工具の回動軸に対して母線が平行な直円柱面の一部によって構成されることを特徴とする請求項１に記載の工具。
【請求項３】
前記刃は開口（７）を呈することを特徴とする請求項１または２に記載の工具。
【請求項４】
隣接する２枚の刃の上端部を離間する間隔（ｄ）が、前記刃の下端部を離間する間隔（Ｄ）よりも小さくなるように、角度を変位させた複数の刃を備えてなることを特徴とする請求項１乃至３のいずれか一項に記載の工具。
【請求項５】
工具の関節軸線と刃の各々下端部を離間する間隔は、先頭の刃から後方の刃にいくに従って大きくなっており、先頭の刃は最初に地中へ入り込む刃であることを特徴とする請求項４に記載の工具。
【請求項６】
単一または複数の刃が、取り外し可能であることを特徴とする請求項４または５に記載の工具。
【請求項７】
ウェブ（２）は少なくとも１本のフランジ（８）を有しており、前記フランジの凹面は取り外し可能な刃の凸面と適合すると共に、前記刃にはこれをフランジに取り付けるための手段が具備されていることを特徴とする請求項６に記載の工具。
【請求項８】
請求項１に記載された工具のウェブは、請求項４に記載した工具を完成するために、２枚目の刃が固定できるようなっていることを特徴とする請求項１乃至７のいずれか一項に記載の工具。
【発明の詳細な説明】
【技術分野】
【０００１】
本発明は、油圧パワーショベルの先端に連結される型式の掘削工具に関するものである。
【０００２】
技術の現状では、掘るべき溝の幅に見合った寸法のスコップを使用している。
【０００３】
しかし乍ら、土がスコップの底と側壁にこびり付いてしまい、浚（さら）うことに関しては、このスコップには問題があった。掻き出しパレットを用いることも行われてきたが、スコップのコストを増大させることに加えて、粘土質の土壌では満足のいくものではないことを経験が示している。
【０００４】
これらの難点を解消する本発明は、掘削工具を湾曲刃で構成すると共に、ウェブの後面で一体となって、ほぼ垂直に通常の手段でパワーショベルのアームに連結されることで注目に値する。
【０００５】
この刃は、パワーショベルのアームにおける工具の関節軸に対して母線が平行に延在する直円柱面の一部によって形成される。
【０００６】
本発明の特徴によれば、土と工具の接触を少なくするために、湾曲刃は開口を呈している。
【０００７】
３０センチメートル程度の幅で溝掘りを行いながら１メートルの深さまで突き進むことができるスコップを製作することは、殆ど不可能であることも経験が示している。実際のところ、この深さまで達するためには極めて長尺なスコップを製作しなければならないし、比較的脆弱な土の塊では側板の表面も大きくなる。摩擦に起因する応力は著しく、スコップによる土の搬出は殆ど不可能になる。
【０００８】
米国特許第３０３２９００号には、同心円状の複数の刃からなる工具が開示されているが、これらの刃は一端が底部に、領域の１つが工具の中央断面に沿って延在するウェブに連結されたものである。
【０００９】
この掘削工具は、土が底とウェブの両側壁にこびり付いてしまうため満足を与えない。
【００１０】
これらの難点を緩和する本発明の工具は、複数の湾曲刃を有し、隣接する２枚の刃の下端部を離間する間隔が、前記刃の上端部を離間する間隔よりも大きくなるように、湾曲刃は角度を変位して配置される点で注目に値する。
【００１１】
パワーショベルのアームに連結した工具の関節軸と、刃の各々下端部を離間する間隔は、先頭の刃から後方の刃にいくに従って増大し、先頭の刃が最初に地中へ入り込む刃である。
【００１２】
本発明のその他の特徴は、参考までに実施例を示す添付の図面に沿った以下の説明から一層明白となるであろう。
【００１３】
図面を参照し且つ実施例によれば、本発明の工具は背後に配置した中央のウェブ２によって支持される湾曲刃１で構成され、シャフト５によってパワーショベルのアーム４の先端に工具を固定するため、ウェブは常用のフレーム３と一体になっていることが分かる。周知の手法で、そのピストン棒が符号６で示されたジャッキは、シャフト５の軸を中心として工具を回動させることができる。
【００１４】
刃１は直円柱面の一部により構成されるが、この直円柱の母線はシャフト５の軸と平行に延在する。
【００１５】
フランス特許第２７８５９５１号に開示されるように、工具１−２の固定は迅速なファスニングを介して行うことができる。
【００１６】
刃１は、土との接触表面を小さくするための開口７を呈することが可能である。
【００１７】
実施例（図３）では、工具が複数枚の刃１を備え、隣接する２枚の刃の上端部を離間する間隔ｄが、これらの下端部を離間する間隔Ｄよりも小さくなるように、刃は角度を変位して配置される。
【００１８】
刃の背後に延在するウェブ２の表面の一部は微々たるものであることに注目すべきである。
【００１９】
刃１は全て同一であるが、幅は掘るべき溝や堀の幅に対応したものが好ましい。
【００２０】
刃１は角度を変位させてあり、シャフト５の軸と対応する刃の先端を離間する間隔は、地面Ｓを掘るべく刃が地中に食い込んでいくときの工具の回動方向（図面では反時計方向）に従って大きくなっている。
【００２１】
図８は工具が溝から外に出た状態を示している。砂を多く含んだ土壌である場合には、掘削した土砂の相当量が両側からこぼれ落ちてしまう可能性がある。このような場合、図９に示したような側板１ａが各刃に設けられるが、工具の地面への喰い込みや掘り起こした土砂の排出を阻害する時宜を得ない摩擦を引き起こさないように、これらの側板表面は極端に小さくする。
【００２２】
本発明による他の特徴によれば、刃は取り外し可能である。
【００２３】
そのため当該実施例においては、刃１を取り付けるためのウェブ２にフランジ部８が設けられていて、この部分にそれぞれ対応する刃が適当な工具を用いて固定されるが、フランジ部は、刃の凸面とぴったり適合するための凹面が形成されており、刃の凸面は、円形導線（準線）直円柱面と一致するものが好ましい。
【００２４】
図１０から図１３に示されるように、刃の各々にはウェブ２に固定するための手段が設けられている。この実施例では、各刃９の凸面部には、その下端部近傍において接続バー１０を具備させる一方、上端にはヨーク１１が配設されており、工具のウェブ２はこのヨークの間に挿入可能である。
【００２５】
刃９は、止めピン１２によって図１０に示した位置に保持されるが、そのためウェブ２には孔１３が形成されている。刃を取り付けるには先ずウェブにこれを当てがい、次に接続バーがフランジ部の先端より先に位置するよう滑らせる。そして今度は、刃をフランジ部に押し当てながら上方に向けて滑らせ、接続バーがフランジ部の先端によって貫通されるまで移動させ、定位置に収まったところで最後に止めピンを装着して全体を維持する。取り外しは逆の手順によって行われる。
【００２６】
同一工具の複数の刃は、幅も長さも異なるものであっても構わないことは注目に値する。
【００２７】
図１４には図１に示した実施例とは別の実施例を示してあるが、１枚刃の工具から図１６に示されるような２枚刃の工具を完成するために、この実施例ではウェブ２ａが、刃１５のウェブ１４（図１５）と合致して協働する。
【００２８】
図１５に示した刃を取り付けるためには、例えば２枚のプレート１６を用いるが、これらのプレートはウェブ２と１４の両側から配置されてウェブを挟持し、図では符号１７にて示される軸箇所においてボルトで保持される。注目に値すべきは、ウェブ１４を、第３の刃を固定させることが出来るような形状とすることも可能である。
【００２９】
説明した図示の実施例では、刃は円導線（準線）柱面の一部分である。
【００３０】
本発明の範囲で、その導線（準線）が連続した曲線態様のみならず、例えば円弧として見做すことが出来るようなものであれば折れ線の態様を呈する湾曲刃を完成することが可能である。
【００３１】
同様にして、本発明による湾曲刃は、平坦な金属板を同一方向に折り曲げ加工して製造することも可能であるが、この場合、いくつかの折り曲げ部は、アームへの工具の関節軸と共に比較的僅かな角度を形成する。
【図面の簡単な説明】
【００３２】
【図１】本発明による工具の正面図である。
【図２】図１に示した工具の平面図である。
【図３】本発明による工具の他の実施例を示す正面図である。
【図４】図３に示した工具の平面図である。
【図５】本発明による工具の使用状態を図３と同様に示す図である。
【図６】本発明による工具の使用状態を図３と同様に示す図である。
【図７】本発明による工具の使用状態を図３と同様に示す図である。
【図８】本発明による工具の使用状態を図３と同様に示す図である。
【図９】他の実施例を図８と同様に示す図である。
【図１０】別の実施例を図３と同様に示す図である。
【図１１】図１０における線ＩＸ−ＩＸに沿った断面図である。
【図１２】図１０の実施例で使用される刃を示す正面図である。
【図１３】図１２に示したものの平面図である。
【図１４】１枚刃の工具を複数枚の工具に変える可能性を示す正面図である。
【図１５】１枚刃の工具を複数枚の工具に変える可能性を示す正面図である。
【図１６】１枚刃の工具を複数枚の工具に変える可能性を示す正面図である。
【図１】
2005533950.tif 000003
【図２】
2005533950.tif 000004
【図３】
2005533950.tif 000005
【図４】
2005533950.tif 000006
【図５】
2005533950.tif 000007
【図６】
2005533950.tif 000008
【図７】
2005533950.tif 000009
【図８】
2005533950.tif 000010
【図９】
2005533950.tif 000011
【図１０】
2005533950.tif 000012
【図１１】
2005533950.tif 000013
【図１２】
2005533950.tif 000014
【図１３】
2005533950.tif 000015
【図１４】
2005533950.tif 000016
【図１５】
2005533950.tif 000017
【図１６】
2005533950.tif 000018
【国際調査報告】
2005533950.tif 000019
2005533950.tif 000020
2005533950.tif 000021
2005533950.tif 000022
2005533950.tif 000023
2005533950.tif 000024